(57)【要約】【課題】  乳幼児が哺乳瓶を口にくわえたまま転倒しても哺乳瓶により乳幼児の口又はその周辺に与える衝撃を吸収て、哺乳瓶による哺乳時の安全性を高める。【解決手段】  弾性材料からなる有底筒状体１で、哺乳瓶Ｂを嵌め入れる哺乳瓶挿入部２と、前記有底筒状体の略中間部の内面に設けられた哺乳瓶底部周縁保持部４とを備える哺乳瓶用安全装置Ａであって、衝撃力付与時に前記保持部４が安全装置Ａの底面方向に屈曲するとともに、前記保持部４の形成部付近の哺乳瓶用安全装置を外方に膨出させ、前記哺乳瓶の底部の摺動による通過を許容し、哺乳瓶に付与される衝撃を前記保持部４の屈曲時における摩擦力と屈曲後の復元力、ならびに衝撃力付与時の哺乳瓶用安全装置の膨出により発生する復元力により、哺乳瓶に付与される衝撃を吸収するとともに、哺乳瓶の下方への移動に対し制動する機能を備える。【選択図】図６
2008212479.tif 000002
【特許請求の範囲】
【請求項１】
弾性材料からなる有底筒状体であって、哺乳瓶を嵌め入れる哺乳瓶挿入部と、前記有底筒状体の略中間部の内面より中央方向に突出する哺乳瓶底部周縁保持部とを備える哺乳瓶用安全装置であって、
前記哺乳瓶底部周縁部保持部は、前記哺乳瓶に前記哺乳瓶用安全装置が装着された状態において、前記哺乳瓶の底部外面に接触する部分を備え、前記哺乳瓶に装着された前記哺乳瓶用安全装置に下方から所定以上の衝撃力付与時に、前記哺乳瓶用安全装置の底面方向に屈曲するとともに該哺乳瓶底部周縁部保持部の形成部付近の前記哺乳瓶用安全装置を外方に膨出させることにより前記哺乳瓶の前記底部の摺動による通過を許容するものであり、前記哺乳瓶用安全装置は、前記哺乳瓶底部周縁部保持部の前記哺乳瓶用安全装置の底面方向への屈曲時における摩擦力および屈曲後の復元力ならびに前記哺乳瓶用安全装置の前記哺乳瓶底部周縁部保持部の形成部付近の外方への膨出により発生する復元力により、前記衝撃力付与時における前記哺乳瓶に付与される衝撃を吸収するとともに前記哺乳瓶の前記哺乳瓶用安全装置の底面方向への移動に対して制動する機能を備えることを特徴とする哺乳瓶用安全装置。
【請求項２】
前記哺乳瓶底部周縁部保持部は、前記有底筒状体の略中間部の内面より中央方向に突出する複数の舌片状物からなる請求項１に記載の哺乳瓶用安全装置。
【請求項３】
前記哺乳瓶底部周縁部保持部は、前記有底筒状体の略中間部の内面より中央方向に突出するドーナツ板状物であり、かつ、放射状に配置された複数のスリットを備えるものである請求項１又は２に記載の哺乳瓶用安全装置。
【請求項４】
前記哺乳瓶用安全装置は、底面内面より前記哺乳瓶挿入部方向に延び、前記衝撃付与時において、前記哺乳瓶底部周縁部保持部を通過した前記哺乳瓶の前記底面部が当接可能な衝撃付与時底部当接部を備えている請求項１ないし３のいずれかに記載の哺乳瓶用安全装置。
【請求項５】
弾性材料からなる有底筒状体であって、哺乳瓶を嵌め入れる哺乳瓶挿入部と、前記有底筒状体の略中間部の内面に設けられた哺乳瓶底部周縁保持部とを備える哺乳瓶用安全装置であって、
前記哺乳瓶底部周縁部保持部は、前記有底筒状体の略中間部の内面より中央方向に突出する複数の舌片状物に形成されており、前記哺乳瓶に装着された前記哺乳瓶用安全装置に下方から所定以上の衝撃力付与時に、前記哺乳瓶用安全装置の底面方向に屈曲するとともに該哺乳瓶底部周縁部保持部の形成部付近の前記哺乳瓶用安全装置を外方に膨出させることにより前記哺乳瓶の前記底部の摺動による通過を許容することにより、前記衝撃力付与時における前記哺乳瓶に付与される衝撃吸収および底面方向への移動に対する制動機能を備えものであり、さらに、前記哺乳瓶用安全装置は、底面より前記哺乳瓶挿入部方向に延び、前記衝撃付与時において、前記哺乳瓶底部周縁部保持部を通過した前記哺乳瓶の前記底面部が当接可能な衝撃付与時底部当接部を備えていることを特徴とする哺乳瓶安全装置。
【請求項６】
前記哺乳瓶底部周縁部保持部は、所定の厚みを有し、前記哺乳瓶の前記底部の通過時に、該哺乳瓶底部周縁部保持部の形成部付近の前記哺乳瓶用安全装置を外方に所定量膨出させるものである請求項１ないし５のいずれかに記載の哺乳瓶安全装置。
【請求項７】
前記衝撃付与時底部当接部は、前記哺乳瓶安全装置の底面内面より前記哺乳瓶挿入部方向に延びる複数の板状物からなるものである請求項４ないし６のいずれかに記載の哺乳瓶安全装置。
【請求項８】
前記衝撃付与時底部当接部は、前記哺乳瓶安全装置の底部内側面から中心方向に放射状に延びる複数の板状物からなり、各板状物は、上端中央付近より前記哺乳瓶安全装置の底面方向に延びるスリットを備えている請求項７に記載の哺乳瓶用安全装置。
【請求項９】
前記哺乳瓶安全装置は、前記哺乳瓶挿入部に設けられた哺乳瓶の抜脱防止用の締付けリブを備えている請求項１ないし８のいずれかに記載の哺乳瓶用安全装置。
【請求項１０】
前記哺乳瓶安全装置は、前記弾性材料により一体成形されている請求項１ないし９のいずれかに記載の哺乳瓶用安全装置。
【発明の詳細な説明】
【技術分野】
【０００１】
この発明は、乳幼児用哺乳瓶において、乳幼児が哺乳瓶を口にくわえたまま転倒した際、主に口やその周辺に加わる衝撃を吸収・緩和し、怪我の防止又は怪我の程度を軽減する哺乳瓶用安全装置に関する。
【背景技術】
【０００２】
従来より一般に市販され使用されている乳幼児用哺乳瓶は、周知のように瓶本体と、瓶本体の上端開口部に袋ナットにより脱着自由とした吸い口から構成され、乳幼児は授乳時は勿論、授乳後でも哺乳瓶を口にくわえたまま不十分な足どりでかけ回ったりして転倒する場合がある。そこで、乳幼児が哺乳瓶を口にくわえたまま前方へ転倒した場合、乳幼児は反射神経が充分発達していないため手・腕で防御態勢をとることができず、まともに転倒してしまい、哺乳瓶により転倒した時の口及び口周辺に加わる衝撃は略１０ｋｇ程度と予想されている。したがって、くわえたままの哺乳瓶によって、口唇、前歯、口の中等に傷を負うことが多く、特に最近の住まいは板張りの床が多く、しかも靴下等をはいているため滑り転倒し易く、ひどい時には口唇が裂けたり、歯が折れたり、歯が口唇を突き抜けるといった予想もできない怪我が多発している。
【０００３】
そこで、本件出願人は先に上記問題点を解消するため、特許第３４９２２６７号（特許文献１参照）に示すものを提案している。
特許文献１には、哺乳瓶の下部に脱着可能に備えられる弾性材からなる有底筒状体で、その略中間内部に１段目のクッション部を一体に備え、該クッション部で哺乳瓶の底を支持し、哺乳瓶に衝撃が加わった際には前記１段目のクッション部が下方に曲がり衝撃を吸収し、さらに、前記１段目のクッション部の下部周壁を２段目のクッション部とし、該２段目のクッション部には多数の通気孔を穿っち、１段目のクッション部で哺乳瓶を保持した状態で、２段目のクッション部の前記１段目のクッション部の下部周壁の上下方向の弾力と、２段目のクッション部と有底筒状体の下部と哺乳瓶とで構成される空間に存する空気の弾力と、２段目のクッション部の周側に穿った通気孔から空気が除々に抜け空気圧を減圧する構造により衝撃を吸収するようになっている。
【０００４】
しかしながら、上記特許文献１においては、床面に対し垂直に哺乳瓶が落下する状態で乳幼児が転倒したときは、可成りの衝撃を吸収できるが、哺乳瓶がやや斜めになった状態で落下する状態で転倒した場合は、衝撃が加わった際哺乳瓶と哺乳瓶用安全装置の有底筒状体との間に間隙が生じ、一気に空気が抜け、２段目のクッション部内の空気による弾力を利用して衝撃を吸収する効果が充分に発揮できず、また、２段目のクッション部である１段目のクッション部の下部周壁の上下方向の弾力で衝撃を吸収できるようになっているが、衝撃を充分に吸収することが難しかった。
【０００５】
【特許文献１】特許第３４９２２６７号公報
【発明の開示】
【発明が解決しようとする課題】
【０００６】
そこで、本発明は、上記したこれらの問題点を解決できるようにしたもので、
弾性材料からなる有底筒状体の略中間内面に、哺乳瓶の底部周縁部を保持すると共に哺乳瓶に加わる衝撃を吸収する哺乳瓶底部周縁部保持部を設けた点は、上記引用特許文献１と同じであるが、本発明は、哺乳瓶に装着された哺乳瓶用安全装置に下方から所定以上の衝撃力が加わった時、前記哺乳瓶底部周縁部保持部が下方に屈曲するとともに、該哺乳瓶底部周縁部保持部の形成部付近の前記哺乳瓶用安全装置を外方に膨出させることにより、哺乳瓶が哺乳瓶底部周縁部保持部を突き抜け通過できるようにし、突き抜け通過する際の摩擦力および屈曲後の復元力ならびに前記前記哺乳瓶用安全装置の前記哺乳瓶底部周縁部保持部の形成部付近の外方への膨出により発生する復元力により、衝撃力が加わった時に哺乳瓶に付与される衝撃を吸収するとともに、哺乳瓶の前記哺乳瓶用安全装置の底面方向への移動に対して制動する機能を備え、さらには、有底筒状体の底部に底部当接部を設け哺乳瓶の底部を受けとめ衝撃力を吸収し、乳幼児が哺乳瓶をくわえたまま転倒しても、また、哺乳瓶の落下角度が床面に対し多少斜めであっても、充分に衝撃を吸収できるようにして、上記従来の問題点を解消した哺乳瓶用安全装置の提供を目的としている。
【課題を解決するための手段】
【０００７】
上記目的を達成するものは以下の通りである。
（１）弾性材料からなる有底筒状体であって、哺乳瓶を嵌め入れる哺乳瓶挿入部と、前記有底筒状体の略中間部の内面より中央方向に突出する哺乳瓶底部周縁保持部とを備える哺乳瓶用安全装置であって、
前記哺乳瓶底部周縁部保持部は、前記哺乳瓶に前記哺乳瓶用安全装置が装着された状態において、前記哺乳瓶の底部外面に接触する部分を備え、前記哺乳瓶に装着された前記哺乳瓶用安全装置に下方から所定以上の衝撃力付与時に、前記哺乳瓶用安全装置の底面方向に屈曲するとともに該哺乳瓶底部周縁部保持部の形成部付近の前記哺乳瓶用安全装置を外方に膨出させることにより前記哺乳瓶の前記底部の摺動による通過を許容するものであり、前記哺乳瓶用安全装置は、前記哺乳瓶底部周縁部保持部の前記哺乳瓶用安全装置の底面方向への屈曲時における摩擦力および屈曲後の復元力ならびに前記哺乳瓶用安全装置の前記哺乳瓶底部周縁部保持部の形成部付近の外方への膨出により発生する復元力により、前記衝撃力付与時における前記哺乳瓶に付与される衝撃を吸収するとともに前記哺乳瓶の前記哺乳瓶用安全装置の底面方向への移動に対して制動する機能を備える哺乳瓶用安全装置。
【０００８】
（２）前記哺乳瓶底部周縁部保持部は、前記有底筒状体の略中間部の内面より中央方向に突出する複数の舌片状物からなる（１）に記載の哺乳瓶用安全装置。
（３）前記哺乳瓶底部周縁部保持部は、前記有底筒状体の略中間部の内面より中央方向に突出するドーナツ板状物であり、かつ、放射状に配置された複数のスリットを備えるものである（１）又は（２）に記載の哺乳瓶用安全装置。
（４）前記哺乳瓶用安全装置は、底面内面より前記哺乳瓶挿入部方向に延び、前記衝撃付与時において、前記哺乳瓶底部周縁部保持部を通過した前記哺乳瓶の前記底面部が当接可能な衝撃付与時底部当接部を備えている（１）ないし（３）のいずれかに記載の哺乳瓶用安全装置。
【０００９】
（５）弾性材料からなる有底筒状体であって、哺乳瓶を嵌め入れる哺乳瓶挿入部と、前記有底筒状体の略中間部の内面に設けられた哺乳瓶底部周縁保持部とを備える哺乳瓶用安全装置であって、
前記哺乳瓶底部周縁部保持部は、前記有底筒状体の略中間部の内面より中央方向に突出する複数の舌片状物に形成されており、前記哺乳瓶に装着された前記哺乳瓶用安全装置に下方から所定以上の衝撃力付与時に、前記哺乳瓶用安全装置の底面方向に屈曲するとともに該哺乳瓶底部周縁部保持部の形成部付近の前記哺乳瓶用安全装置を外方に膨出させることにより前記哺乳瓶の前記底部の摺動による通過を許容することにより、前記衝撃力付与時における前記哺乳瓶に付与される衝撃吸収および底面方向への移動に対する制動機能を備えものであり、さらに、前記哺乳瓶用安全装置は、底面より前記哺乳瓶挿入部方向に延び、前記衝撃付与時において、前記哺乳瓶底部周縁部保持部を通過した前記哺乳瓶の前記底面部が当接可能な衝撃付与時底部当接部を備えている哺乳瓶用安全装置。
【００１０】
（６）前記哺乳瓶底部周縁部保持部は、所定の厚みを有し、前記哺乳瓶の前記底部の通過時に、該哺乳瓶底部周縁部保持部の形成部付近の前記哺乳瓶用安全装置を外方に所定量膨出させるものである（１）ないし（５）記載の哺乳瓶用安全装置。
（７）前記衝撃付与時底部当接部は、前記哺乳瓶安全装置の底面内面より前記哺乳瓶挿入部方向に延びる複数の板状物からなるものである（４）ないし（６）に記載の哺乳瓶用安全装置。
（８）前記衝撃付与時底部当接部は、前記哺乳瓶安全装置の底部内側面から中心方向に放射状に延びる複数の板状物からなり、各板状物は、上端中央付近より前記哺乳瓶安全装置の底面方向に延びるスリットを備えている（７）に記載の哺乳瓶用安全装置。
（９）前記哺乳瓶安全装置は、前記哺乳瓶挿入部に設けられた哺乳瓶の抜脱防止用の締付けリブを備えている（１）ないし（８）のいずれかに記載の哺乳瓶用安全装置。
（１０）前記哺乳瓶安全装置は、前記弾性材料により一体成形されている（１）ないし（９）のいずれかに記載の哺乳瓶用安全装置。
【発明の効果】
【００１１】
上記構成を有するこの発明の哺乳瓶用安全装置は、弾性材料からなる有底筒状体の哺乳瓶挿入部に哺乳瓶を嵌め入れることにより、前記哺乳瓶の底部外面が弾性材料からなる前記有底筒状体の略中間部の内面より中央方向に突出して設けられた哺乳瓶底部周縁保持部に接触した状態で、哺乳瓶用安全装置が哺乳瓶に装着され、この状態で乳幼児が哺乳瓶で授乳する。
そして、授乳時又は授乳後において哺乳瓶を口にくわえたまま誤って転倒した場合、哺乳瓶用安全装置の底部から床に衝突する。これにより、前記哺乳瓶用安全装置に下方から衝撃力が付与され、衝撃が所定以上であると、初めに、前記哺乳瓶底部周縁保持部が哺乳瓶用安全装置の底面方向に屈曲しつつ哺乳瓶にかかる衝撃を吸収する。次に、前記哺乳瓶の底部が前記哺乳瓶底部周縁部保持部をさらに屈曲させ該保持部を介して該保持部の形成部付近の前記哺乳瓶用安全装置を外方に膨出させ該保持部が広がり、哺乳瓶の底部が該保持部を摺動しながら突き抜けるように通過する。この通過する際に、前記哺乳瓶底部周縁部保持部の前記哺乳瓶用安全装置の底面方向への屈曲時における摩擦力および屈曲後の復元力ならびに前記哺乳瓶用安全装置の前記哺乳瓶底部周縁部保持部の形成部付近の外方への膨出により発生する復元力により、衝撃を吸収するとともに前記哺乳瓶の前記哺乳瓶用安全装置の底面方向への移動に対して周囲から制動をかけ衝撃を吸収する。それ故、乳幼児が哺乳瓶をくわえたまま前方へ転倒してもその衝撃は哺乳瓶下部に装着した哺乳瓶用安全装置により吸収・緩和されて口及び口周辺にまともにかかることがない。この結果、くわえたままの哺乳瓶による口の中、口唇、前歯等の怪我を防止又は大幅に軽減することができる。
【００１２】
また、上記構成を有するこの発明の哺乳瓶用安全装置は、前記哺乳瓶底部周縁部保持部を、前記有底筒状体の略中間部の内面より中央方向に突出する複数の舌片状物からなるものとし、或いは、前記有底筒状体の略中間部の内面より中央方向に突出し放射状に複数のスリットを備えたドーナツ板状物としたので、簡単な構造であって、これらの哺乳瓶底部周縁部保持部は常時は哺乳瓶の底部周縁を支え、衝撃が加わった時はしなやかに前記哺乳瓶用安全装置の底面方向に屈曲しつつ衝撃を吸収でき、また、哺乳瓶の底部が屈曲した哺乳瓶底部周縁部保持部を摺動しながら突き抜けるように通過することができる。そして、通過する過程で哺乳瓶の前記哺乳瓶用安全装置の底面方向への移動に哺乳瓶の周囲から制動をかけ、衝撃を吸収することができる。
【００１３】
前記哺乳瓶用安全装置は、底面内面より前記哺乳瓶挿入部方向に延びる衝撃付与時底部当接部を備えているので、前記哺乳瓶底部周縁部保持部を通過してきた哺乳瓶の底部を下から支える形で、前記衝撃付与時底部当接部が退縮しながら、又は左右に屈曲しつつ衝撃を吸収することができる。
【００１４】
また、上記構成を有するこの発明の哺乳瓶用安全装置は、弾性材料からなる有底筒状体に設けた複数の舌片状物から形成された哺乳瓶底部周縁保持部が、所定以上の衝撃力付与時に、前記哺乳瓶用安全装置の底面方向に屈曲し、また、該哺乳瓶底部周縁部保持部の形成部付近の前記哺乳瓶用安全装置を外方に膨出させ、前記哺乳瓶の前記底部の摺動による通過を許容することができ、さらに、前記哺乳瓶用安全装置の底面より前記哺乳瓶挿入部方向に延びる衝撃付与時底部当接部を備えているので、第１の哺乳瓶底部周縁部保持部の下方への屈曲および摩擦による衝撃の吸収、第２の哺乳瓶が前記哺乳瓶底部周縁部保持部を突き抜ける際の哺乳瓶用安全装置の外方への膨出により発生する復元力による横方向からの締め付けに伴う哺乳瓶Ｂの移動に対する制動による衝撃の吸収、そして、第３に、哺乳瓶の底部を衝撃付与時底部当接部で受け止め衝撃を吸収するという第１〜第３の連続した衝撃の吸収により、転倒時の乳幼児の口又はその周辺に掛かる衝撃を充分に吸収することができる。
【００１５】
前記哺乳瓶底部周縁部保持部は、所定の厚みを有しているので、前記哺乳瓶の底部の通過時に、該哺乳瓶底部周縁部保持部の形成部付近の哺乳瓶用安全装置を外方に所定量膨出させることができ、哺乳瓶が前記哺乳瓶底部周縁部保持部を突き抜け通過するとき、哺乳瓶の底部及び周面で押圧され屈曲した哺乳瓶底部周縁部保持部により、哺乳瓶用安全装置の該保持部の形成部付近を外方向に膨出させる量を前記哺乳瓶底部周縁部保持部の厚みに対応して大きくすることができる。その結果、哺乳瓶用安全装置の大きく膨出したことにより生じる復元力が大きくなり、前記哺乳瓶底部周縁部保持部を通過する哺乳瓶の周面に該保持部の圧接する圧力が増大し、通過する哺乳瓶に強い制動をかけることができる。それ故、転倒時の衝撃を吸収する効果を大きくすることができる。
【００１６】
前記衝撃付与時底部当接部は、前記哺乳瓶安全装置の底面内面に設けた複数の板状物からなるものであり、各板状物が哺乳瓶の底で押圧され縮退しながら又は折れ曲がりつつ衝撃を吸収することができ、さらに、前記哺乳瓶安全装置の底部内側面から中心方向に放射状に延びる複数の板状物からなり、各板状物の上端中央付近より前記哺乳瓶安全装置の底面方向に延びるスリットを設けたものとすれば、各板状物の屈曲の自由度が増し一層衝撃の吸収が効果的に行われる。
【００１７】
前記哺乳瓶安全装置は、前記哺乳瓶挿入部に設けられた哺乳瓶の抜脱防止用の締付けリブを備えているので、哺乳瓶に装着した哺乳瓶用安全装置が容易に脱抜することがない。さらに、前記哺乳瓶安全装置は、前記有底筒状体と前記哺乳瓶底部周縁部保持部と前記衝撃付与時底部当接部が、復元力を有する弾性材で一体成形されているので、衝撃により変形し衝撃の吸収緩和がスムーズに行われ、また丈夫な哺乳瓶用安全装置となる。
【発明を実施するための最良の形態】
【００１８】
以下本発明の哺乳瓶用安全装置の実施の形態の一例について図面を参照して説明する。
図１は、本発明の哺乳瓶用安全装置の正面図、図２は、同平面図、図３は、同Ｘ−Ｘ断面図、図４は、同底面図、図５は、哺乳瓶底部周縁部保持部をドーナツ板状物とした哺乳瓶用安全装置の平面図、図６は、本発明の哺乳瓶用安全装置に哺乳瓶を嵌め入れた状態の一部切欠正面図、図７は、哺乳瓶安全装置の衝撃付与時に哺乳瓶底部周縁部保持部が屈曲した状態を示す断面図、図８は、哺乳瓶安全装置の衝撃付与時に哺乳瓶が哺乳瓶底部周縁部保持部を通過する状態を示す断面図であるである。
【００１９】
Ａは、本発明の哺乳瓶用安全装置で、図１〜図４に示すように有底筒状体１からなり、該有底筒状体１の上部に哺乳瓶Ｂの下部を嵌め入れる哺乳瓶挿入部２が設けられている。また、前記有底筒状体１の側壁１ａの略中間位置の内面より中央方向に平面形状が略半円形の舌片状物３が等間隔に１２個突出して前記有底筒状体１と一体に設けられ哺乳瓶底部周縁部保持部４を構成している。この哺乳瓶底部周縁部保持部４は、図６及び図７に示すように、哺乳瓶Ｂを前記哺乳瓶挿入部２に嵌め入れたとき、哺乳瓶Ｂの底部周縁部を支持し、乳幼児が哺乳瓶を口にくわえられたまま転倒し哺乳瓶用安全装置Ａが床面・地面とぶつかり、哺乳瓶用安全装置Ａを装着した哺乳瓶Ｂが乳幼児の口に与える衝撃を、該哺乳瓶底部周縁部保持部４が有底筒状体１の底面方向、すなわち下方に屈曲しつつ吸収するようになっている。
そして、上記哺乳瓶底部周縁部保持部４には、中央に広く開口部５が設けられ、所定以上の衝撃が哺乳瓶Ｂに加わると、図８に示すように、哺乳瓶Ｂの底部が該哺乳瓶底部周縁部保持部４を摺動して突き抜けるように通過可能となっている。
尚、前記哺乳瓶底部周縁部保持部４は、図５に示すように、有底筒状体１の側壁１ａの略中間部の内面からドーナツ板状物６を中央方向に突出して一体に設け、該ドーナッツ状板体６に放射状に配置された複数のスリット７を設けたものでもよく、所定以上の衝撃が哺乳瓶Ｂに加わったとき該ドーナッツ状板体６のスリット７が広がりつつ下方に屈曲し中央の開口部５が拡開し、哺乳瓶が通過できるように設けてもよい。
【００２０】
また、前記哺乳瓶底部周縁部保持部４は、哺乳瓶Ｂを介して乳幼児の口に一層大きな衝撃が加わったとき、哺乳瓶Ｂの底部及び周面により押圧され、有底筒状体１の側壁１ａに沿うように下方に折れ曲がり開口部５が広がると共に、折れ曲がった前記哺乳瓶底部周縁部保持部４が有底筒状体１の側壁１ａを外方に押圧し、前記有底筒状体１の側壁１ａの中間部が外方へ膨出し、哺乳瓶が前記哺乳瓶底部周縁部保持部４を突き抜け通過できる構造となっている。
そして、哺乳瓶Ｂが哺乳瓶底部周縁部保持部４を摺動して通過する過程で、前記哺乳瓶底部周縁部保持部４と哺乳瓶Ｂとの摩擦力および折れ曲がった後の復元力、さらに膨出した有底筒状体１の復元力、すなわち側壁１ａの内方向に収縮する力により、哺乳瓶に付与される衝撃を吸収するとともに、前記折れ曲がった哺乳瓶底部周縁部保持部４が哺乳瓶Ｂの周面を横方向から締め付け、哺乳瓶の有底筒状体１の底面方向への移動に制動を掛ける構造となっている。
【００２１】
また、前記哺乳瓶底部周縁部保持部４を構成する舌片状物３又はドーナツ板状物６の厚みを大きくし、前記有底筒状体１の側壁１ａの厚みより大幅に厚くすると、哺乳瓶Ｂが前記哺乳瓶底部周縁部保持部４を通過するとき、哺乳瓶Ｂの底部及び周面で押圧され下方に折れ曲がった哺乳瓶底部周縁部保持部４により有底筒状体１の側壁１ａを外方向に膨出させる量が大きくなる。膨出量が大きいほど側壁１ａの復元力が大きくなり、下方へ移動する哺乳瓶の周面を横方向から締め付ける前記哺乳瓶底部周縁部保持部４による圧力が大きくなり、有底筒状体１の底面方向への哺乳瓶Ｂの移動に対し強い制動力をかけ衝撃を吸収することができる。
【００２２】
８は衝撃付与時底部当接部で、前記有底筒状体１の底部１ｂの内側部から中心方向に放射状に延びる６枚の板状物９から構成され、該板状物９を方形とし、有底筒状体１と一体に設けられている。
この衝撃付与時底部当接部８により、哺乳瓶Ｂが哺乳瓶底部周縁部保持部４を通過して移動した際、該哺乳瓶Ｂの底部が前記板状物９に突き当たり、板状物９が縮退し又は屈曲しつつ受け止め哺乳瓶Ｂの衝撃を吸収するものである。
そして、前記板状物９の中央には上端から中間部にかけてＵ字溝状のスリット１０が設けてあるので、哺乳瓶の底部で押圧されるとその力の掛かり具合により左又は右に自在に折れ曲がりつつ衝撃を吸収することができるようになっている。
【００２３】
１１は、前記有底筒状体１の上端縁に設けた締め付けリブで、哺乳瓶Ｂの下部に哺乳瓶挿入部２を嵌め入れて哺乳瓶用安全装置Ａを装着し使用する場合、みだりに哺乳瓶用安全装置が哺乳瓶Ｂから抜脱しないように締め付け可能としたものである。また、哺乳瓶用安全装置Ａは前記有底筒状体１と前記哺乳瓶底部周縁部保持部４と前記衝撃付与時底部当接部８を、復元力を有するシリコンゴムその他の弾性材で一体成形されている。また、１２は前記有底筒状体１の底部に設けた凹部であり、床面に哺乳瓶用安全装置Ａが突き当たり哺乳瓶Ｂの衝撃圧力を受けたとき、横方向に滑り難くしたものである。
【００２４】
上記構成において、乳幼児が哺乳瓶Ｂを口にくわえたまま前方へ転倒し、哺乳瓶Ｂが床面に対しほぼ垂直に落下すると、哺乳瓶Ｂに装着した哺乳瓶用安全装置Ａの有底筒状体１の底部１ｂが初めに床面・地面に突き当たり、前記哺乳瓶用安全装置Ａに下方から衝撃力が加わり、哺乳瓶Ｂに対し乳幼児の主に頭部の重みと転倒の運動エネルギーが口を介して哺乳瓶に働き、その後哺乳瓶Ｂは哺乳瓶用安全装置Ａに対し下方への衝撃圧力を加えることになる。
【００２５】
哺乳瓶Ｂの下方への衝撃圧力は、第１に、哺乳瓶底部周縁部保持部４の舌片状物３又はドーナツ板状物６にて哺乳瓶の底部周縁部が受け止められ、その衝撃に抗しつつ該哺乳瓶底部周縁部保持部４の舌片状物３又はドーナツ板状物６は下方にしなり、屈曲しながら衝撃を吸収する。第２に、しかしその衝撃力が大きい場合は、前記哺乳瓶底部周縁部保持部４の舌片状物３又はドーナツ板状物６が哺乳瓶Ｂの底部周縁部によりその形成部付近で下方に折り曲げられ開口部５が広く押し開かれ、哺乳瓶Ｂは前記哺乳瓶底部周縁部保持部４の舌片状物３又はドーナツ板状物６を突き抜けるように通過する。通過する際、前記哺乳瓶底部周縁部保持部４の舌片状物３又はドーナツ板状物６と哺乳瓶の周面との摩擦力、折り曲げられた前記舌片状物３又はドーナツ板状物６の復元力により衝撃が吸収され、さらに、折り曲げられた哺乳瓶底部周縁部保持部４の舌片状物３又はドーナツ板状物６が、その形成部付近である有底筒状体１の側壁中間部を外方向に押圧し、側壁１ａは外方に膨出される。膨出した側壁１ａはその復元力により、逆に開口部５を通過しようとする哺乳瓶Ｂの周面を周囲から締め付ける形で横方向から制動力として働くことになり哺乳瓶Ｂの下方への移動に制動をかけ衝撃を吸収する。第３に、さらに哺乳瓶Ｂが下方に進入すると有底筒状体１の底部内周面から中心方向に延びる複数の板状物９からなる衝撃付与時底部当接部８に突き当たる。哺乳瓶Ｂの底部が衝撃付与時底部当接部８に突き当たると板状物９が縮退し又は左右に屈曲しながら衝撃を受け止め吸収することができる。衝撃の受け止め効果を高めるため板状対９にＵ字溝状のスリット１０を設けると、左又は右へ屈曲し易くなり哺乳瓶Ｂの底部の衝撃圧力が該板状物９に対して作用する方向に関係なく、哺乳瓶の底部の下方への衝撃を吸収することができるようになっている。
【００２６】
このようにして衝撃が吸収されるので、哺乳瓶Ｂが床面・地面に突き当たったときの衝撃が哺乳瓶用安全装置Ａによりすみやかに吸収され、転倒した乳幼児の口又は口元付近にそのまま衝撃がかかることはない。したがって、くわえたままの哺乳瓶Ｂによって口の中とか、口唇、歯等を怪我することが防止され、また、怪我の程度を大幅に軽減することができ安全性を向上させることができる。
【００２７】
また、哺乳瓶用安全装置Ａは哺乳瓶Ｂの下部に締付けリブ１１によりみだりに抜脱しないように取着保持されるから、哺乳瓶Ｂの取扱いにも何ら支障はなく、哺乳瓶Ｂから哺乳瓶用安全装置Ａを取り外すことも容易であり、哺乳瓶の洗浄、消毒等にも便利である。
さらに、哺乳瓶の下部に装着される哺乳瓶用安全装置Ａは、復元力を有する弾性材で作られているから、衝撃に対する衝撃吸収が適性、かつ、効果的に行われ、さらに、構造も至って簡単で量産も可能であるから、安価な哺乳瓶用安全装置を提供できる。
【００２８】
以上この発明の実施の形態の一例について説明したが、この発明はこうした実施の形態のものに何等限定されず、この発明の要旨を逸脱しない範囲において種々なる形態で実施しうることは勿論である。
【図面の簡単な説明】
【００２９】
【図１】本発明の哺乳瓶用安全装置の正面図である。
【図２】同平面図である。
【図３】同Ｘ−Ｘ断面図である。
【図４】同底面図である。
【図５】哺乳瓶底部周縁部保持部をドーナツ板状物とした哺乳瓶用安全装置の平面図である。
【図６】哺乳瓶に本発明の哺乳瓶用安全装置を装着した一部切欠断面図である。
【図７】哺乳瓶安全装置の衝撃付与時に哺乳瓶底部周縁部保持部が屈曲した状態を示す断面図である。
【図８】哺乳瓶安全装置の衝撃付与時に哺乳瓶が哺乳瓶底部周縁部保持部を通過する状態を示す断面図である。
【符号の説明】
【００３０】
Ａ    哺乳瓶用安全装置
Ｂ    哺乳瓶
１    有底筒状体
１ａ  有底筒状体の側壁
１ｂ  有底筒状体の底部
２    哺乳瓶挿入部
３    舌片状物
４    哺乳瓶底部周縁部保持部
６    ドーナツ板状物
７    スリット
８    衝撃付与時底部当接部
９    板状物
１０  スリット
１１  締め付けリブ
【図１】
2008212479.tif 000003
【図２】
2008212479.tif 000004
【図３】
2008212479.tif 000005
【図４】
2008212479.tif 000006
【図５】
2008212479.tif 000007
【図６】
2008212479.tif 000008
【図７】
2008212479.tif 000009
【図８】
2008212479.tif 000010